(57)【要約】【課題】中央に被取付部への取付部を有する場合でも中央部が暗くなるのを防止できる照明器具を提供する。【解決手段】器具本体２０に支持された発光部４０は、電源部２２から電力の供給を受けて点灯する。発光部４０は、回路基板４１の実装面４１１に、器具本体２０の中央部を迂回する同一線上に沿って所定間隔で多数実装されたＬＥＤ群５０を有する。そして、ＬＥＤ群５０は、回路基板４１の厚み方向に沿って回路基板４１から離れる方向に光を照射する第１ＬＥＤ４２１と、中央部に向かって光を照射する第２ＬＥＤ４２２とを有する。このため、中央に被取付部１１への取付部２１を有する場合でも中央部が暗くなるのを防止できる。【選択図】図３
2014216145.tif 000002
【特許請求の範囲】
【請求項１】
器具本体と、
前記器具本体に支持された発光部とを備え、
前記発光部は、回路基板と、前記回路基板の実装面において前記器具本体の中央部を迂回する同一線上に沿って所定間隔で多数実装されたＬＥＤ群と、を有し、
前記ＬＥＤ群は、前記回路基板の厚み方向に沿って前記回路基板から離れる方向に光を照射する第１ＬＥＤと、前記中央部に向かって光を照射する第２ＬＥＤとを有する照明器具。
【請求項２】
請求項１に記載の照明器具において、
前記ＬＥＤ群は、前記中央部とは反対側に向かって光を照射する第３ＬＥＤを有する照明器具。
【請求項３】
請求項２に記載の照明器具において、
前記発光部は、前記ＬＥＤ群を３以上の複数有し、
前記各ＬＥＤ群は、互いに平行であるとともに、
前記各ＬＥＤ群のうち、前記中央部に最も近いＬＥＤ群は、前記第１ＬＥＤよりも前記第２ＬＥＤを多く有し、
前記各ＬＥＤ群のうち、前記中央部から最も遠いＬＥＤ群は、前記第１ＬＥＤよりも前記第３ＬＥＤを多く有する照明器具。
【発明の詳細な説明】
【技術分野】
【０００１】
本発明は、中央に被取付部への取付部を有し、光源として複数のＬＥＤを用いた照明器具に関するものである。
【背景技術】
【０００２】
従来、例えば天井面等に取り付けて下方を照明するもので、中央に被取付部への取付部を有し、光源として複数のＬＥＤを用いた照明器具が知られている（例えば、特許文献１参照）。
図９に示すように、特許文献１の照明器具１００は、円形板状のシャーシ１０１を有しており、シャーシ１０１の下面には基板１０２が取り付けられている。照明器具１００の中央には、例えば天井面に取り付けるための取付部１０５を有する。このため、基板１０２は、全体サークル状に形成されている。基板１０２の下面には、複数のＬＥＤ（発光素子）１０３が実装されており、ＬＥＤ１０３もサークル状に配置されている。
【０００３】
ＬＥＤ１０３は、同心円状に３列に配置されている。最も内側のＬＥＤ１０３Ａおよび２列目のＬＥＤ１０３Ｂは、下方に光を出射する。また、最外周の列に実装されているＬＥＤ１０３Ｃには、少なくとも横方向に光を出射するものが含まれる。
なお、シャーシ１０１の前方（下方）には、ＬＥＤ１０３を覆うカバー部材１０４が取り付けられている。
これにより、カバー部材１０４の外周及び上方側から出射される光量を増加させることができ、例えば、天井面を明るくして明るさ感を向上することが可能となる。
【先行技術文献】
【特許文献】
【０００４】
【特許文献１】特開２０１２−２５２８９９号公報（第６図）
【発明の概要】
【発明が解決しようとする課題】
【０００５】
しかしながら、前述したような特許文献１に記載の照明器具１００においては、ＬＥＤ１０３をサークル状に配置し、最も内側のＬＥＤ１０３Ａおよび２列目のＬＥＤ１０３Ｂを下向きに実装している。また、最も外側のＬＥＤ１０３Ｃを外向きに配置している。このため、照明器具１００の中心部が暗くなるという問題があった。
【０００６】
本発明は、従来の問題を解決するためになされたもので、中央に被取付部への取付部を有する場合でも中央部が暗くなるのを防止できる照明器具を提供することを目的とする。
【課題を解決するための手段】
【０００７】
本発明の照明器具は、器具本体と、前記器具本体に支持された発光部とを備え、前記発光部は、回路基板と、前記回路基板の実装面において前記器具本体の中央部を迂回する同一線上に沿って所定間隔で多数実装されたＬＥＤ群と、を有し、前記ＬＥＤ群は、前記回路基板の厚み方向に沿って前記回路基板から離れる方向に光を照射する第１ＬＥＤと、前記中央部に向かって光を照射する第２ＬＥＤとを有するものである。
【０００８】
また、本発明の照明器具は、前記ＬＥＤ群は、前記中央部とは反対側に向かって光を照射する第３ＬＥＤを有するものである。
【０００９】
さらに、本発明の照明器具は、前記発光部は、前記ＬＥＤ群を３以上の複数有し、前記各ＬＥＤ群は、互いに平行であるとともに、前記各ＬＥＤ群のうち、前記中央部に最も近いＬＥＤ群は、前記第１ＬＥＤよりも前記第２ＬＥＤを多く有し、前記各ＬＥＤ群のうち、前記中央部から最も遠いＬＥＤ群は、前記第１ＬＥＤよりも前記第３ＬＥＤを多く有するものである。
【発明の効果】
【００１０】
本発明は、器具本体の中央部を迂回する同一線上に沿って所定間隔で多数実装されたＬＥＤ群は、回路基板の厚み方向に沿って回路基板から離れる方向に光を照射する第１ＬＥＤと、中央部に向かって光を照射する第２ＬＥＤとを有する。このため、中央に被取付部への取付部を有する場合でも中央部が暗くなるのを防止できるという効果を有する照明器具を提供できる。
【図面の簡単な説明】
【００１１】
【図１】本発明に係る第１実施形態の照明器具を下方から見た分解斜視図
【図２】本発明に係る第１実施形態の照明器具のＬＥＤ発光部の分解斜視図
【図３】本発明に係る第１実施形態の照明器具の縦断面図
【図４】（Ａ）は第１ＬＥＤの側面図であり、（Ｂ）は第２ＬＥＤの側面図であり、（Ｃ）は第３ＬＥＤの側面図であり、（Ｄ）は第２ＬＥＤおよび第３ＬＥＤの変形例を示す側面図
【図５】（Ａ）および（Ｂ）は取付部の反射部材とＬＥＤの高さ関係を示す説明図
【図６】本発明に係る第１実施形態の照明器具の変形例を示す縦断面図
【図７】本発明に係る第２実施形態の照明器具の縦断面図
【図８】ＬＥＤ群の構成の変形例を示す斜視図
【図９】従来の照明器具の断面図
【発明を実施するための形態】
【００１２】
（第１実施形態）
以下、第１実施形態の照明器具について、図面を用いて説明する。
図１に示すように、第１実施形態の照明器具１０Ａは、例えば被取付面である天井面１１（図３参照）に取り付けて主に下方を照明するのに用いることができる。
なお、以下の説明においては、天井面１１側を「上」とし、床面側（天井面１１と反対側）を「下」とする。
【００１３】
照明器具１０Ａは、円板状の器具本体２０と、器具本体２０の照射方向（図１において下方）に着脱可能に取り付けられるカバー６０を有する。
器具本体２０は、中央部に、天井面１１に設置されている引掛シーリング（図示省略）に機械的および電気的に接続される取付部２１を有する。
器具本体２０は、器具本体２０の中央部の周りに、扇形状に設けられた複数のＬＥＤ発光部（発光部）４０を有する。複数のＬＥＤ発光部４０は、互いに連結されて環状を形成する。また、器具本体２０には、各ＬＥＤ発光部４０へ電力を供給する電源部（図３参照）２２を有する。
【００１４】
図１および図２に示すように、照明器具１０Ａは、器具本体２０に固定された各ＬＥＤ発光部４０の照射方向を覆うＬＥＤカバー２３を有する。器具本体２０とＬＥＤカバー２３との間には、複数のシール部材２４、２４を有する。
従って、ＬＥＤカバー２３と器具本体２０との間に、シール部材２４、２４が挟み込まれることにより、ＬＥＤ発光部４０に対する防水性、防湿性が得られる。
【００１５】
図２に示すように、器具本体２０には貫通孔２０１が設けられており、ＬＥＤ発光部４０と電源部２２とを電気的に接続する複数の接続線２５が挿通されている。接続線２５は、グロメット２５１を介して貫通孔２０１に圧入されている。
図１に示すように、器具本体２０の中央部には、取付部２１を操作するための孔部２６が設けられており、この孔部２６には取付部２１を覆う蓋部材２６１が開閉可能に設けられている。蓋部材２６１の下面には、円錐形状の反射部材３５（図３参照）が取り付けられる。あるいは、蓋部材２６１に円錐形状の反射面を設けることもできる。
【００１６】
また、孔部２６の側部には、リモコン信号が受光されるリモコン受光部２７と、リモコン送信機（図示省略）との機種設定を行うためのチャンネル設定部２８が設けられている。
器具本体２０は、厚みの薄いダイカスト部材等を用いて円板形に形成されている。器具本体２０の下面の外縁部には、カバー６０を回し止めるための複数のカバー係合部２９が取り付けられている。
器具本体２０は、床面側が反射面として機能する。
【００１７】
図１および図２に示すように、ＬＥＤ発光部４０は、円周を四分割するように分離された円弧形状（扇形状）の回路基板４１を有する。従って、回路基板４１は４個設けられており、４個の回路基板４１を長手方向に沿って連結すると、全体としてリング形状を形成する。
回路基板４１は、一端部および他端部に凹形状のグロメット嵌着部３４がそれぞれ形成されている。従って、隣接する回路基板４１の隣り合う二つのグロメット嵌着部３４により、グロメット２５１を把持する。また、回路基板４１の一端部および他端部から引き出された接続線２５は、隣り合う回路基板４１の接続線２５に直列に接続されている。
【００１８】
各回路基板４１の実装面４１１には、器具本体２０の中央部を迂回する同一線上（ここでは、同心円上）に沿って、所定間隔で多数のＬＥＤ４２が実装されてＬＥＤ群５０を構成する。
すなわち、ＬＥＤ群５０には、各回路基板４１をリング状に連結した状態で、回路基板４１と同心円状に多数のＬＥＤ４２が配置されている。ここでは、ＬＥＤ群５０は、同心円状に４列形成されている。
【００１９】
ＬＥＤカバー２３は、透光性を有する樹脂製であって、ＬＥＤ群５０の各列に対応して４重の同心円状のレンズ部３１を有する。
ＬＥＤカバー２３は、鍔形状に形成された外縁部に複数のねじ孔部３２を有し、同じく鍔形状に形成された内縁部に複数のねじ孔部３３を有する。
ＬＥＤカバー２３は、外縁部のねじ孔部３２および内縁部のねじ孔部３３を通じてねじ（図示省略）が器具本体２０にねじ込まれることにより、器具本体２０に取り付けられる。
【００２０】
次に、ＬＥＤ発光部４０について詳細に説明する。
図３に示すように、各回路基板４１の実装面４１１に、器具本体２０の中心に対して同心円状に４列のＬＥＤ群５０を有する場合について説明する。
最も内側（中央側）を第１ＬＥＤ群５１、２列目を第２ＬＥＤ群５２、３列目を第３ＬＥＤ群５３、最も外側（中央と反対側）を第４ＬＥＤ群５４で示す。また、ＬＥＤ群を総称する場合には、ＬＥＤ群５０で示す。
【００２１】
各ＬＥＤ群５０は、光の照射方向が異なる第１ＬＥＤ４２１、第２ＬＥＤ４２２、第３ＬＥＤ４２３のいずれか、あるいは組み合わせで構成される。
第１ＬＥＤ４２１は、図４（Ａ）に示すように、矩形の取付台４３の下面４３１にＬＥＤ４２が取り付けられている。これにより、回路基板４１の厚み方向に沿って回路基板４１から離れる方向（図１および図３において下方）に光を照射するものである。
第２ＬＥＤ４２２は、図４（Ｂ）に示すように、矩形の取付台４３の中央側面（すなわち内側面）４３２にＬＥＤ４２が取り付けられている。これにより、中央側に向かって光を照射するものである。
第３ＬＥＤ４２３は、図４（Ｃ）に示すように、矩形の取付台４３の中央側とは反対側面（すなわち外側面）４３３にＬＥＤ４２が取り付けられている。これにより、外側に向かって光を照射するものである。
【００２２】
なお、横向きに光を照射する第２ＬＥＤ４２２および第３ＬＥＤ４２３は、真横、すなわち実装面４１１と平行に光を発する場合に限らず、図４（Ｄ）に示すように、斜め横向きに光を照射するものであっても良い。
この場合には、取付台４３において斜め下方を向いている傾斜面４３４にＬＥＤ４２を取り付ける。
【００２３】
図３に示す照明器具１０Ａでは、最も内側（中央側）にある第１ＬＥＤ群５１は、下方に光を照射する第１ＬＥＤ４２１と、内側に向かって光を照射する第２ＬＥＤ４２２とを有する。そして、第１ＬＥＤ４２１よりも第２ＬＥＤ４２２を多く有する。なお、第１ＬＥＤ４２１がなく、全て第２ＬＥＤ４２２の場合も可能である。
また、第２ＬＥＤ群５２および第３ＬＥＤ群５３は、下方に光を照射する第１ＬＥＤ４２１を主に有する。なお、第１ＬＥＤ４２１に加えて、第２ＬＥＤ４２２および第３ＬＥＤ４２３を混在させることもできる。
また、中央部から最も遠い（最も外側の）第４ＬＥＤ群５４は、下方に光を照射する第１ＬＥＤ４２１と、外側に向かって光を照射する第３ＬＥＤ４２３とを有する。そして、第１ＬＥＤ４２１よりも第３ＬＥＤ４２３を多く有する。なお、第１ＬＥＤ４２１がなく、全て第３ＬＥＤ４２３の場合も可能である。
【００２４】
図５に示すように、反射部材３５は円錐形状を呈しており、その頂点３５１の位置は、第２ＬＥＤ４２２におけるＬＥＤ４２の光軸ＬＢの位置に等しい（図５（Ａ）参照）か、光軸ＬＢよりも下方に突出している（図５（Ｂ）参照）。
なお、このときのＬＥＤ４２の光軸ＬＢは、回路基板４１の実装面４１１と平行になっている。
【００２５】
図３に示すように、カバー６０の中央部６１は、例えば濃い乳白色に形成されており、透過率が低く設定されている。
中央部６１は、例えば、下向きに光を照射する第２ＬＥＤ群５２および第３ＬＥＤ群５３を含む範囲とすることができる。
【００２６】
次に、照明器具１０Ａの光の照射方向について説明する。
ＬＥＤ発光部４０において最も内側（中央側）に配置されている第１ＬＥＤ群５１は第２ＬＥＤ４２２を有しており、器具本体２０の中央側に向かって光ＬＢ１を照射する。光ＬＢ１は、器具本体２０の中央に設けられている反射部材３５で反射して、下方に向かう（光ＬＢ２）。
なお、図示はしないが、第１ＬＥＤ群５１に設けられた第１ＬＥＤ４２１は、下方に光を照射する。
【００２７】
第２列に配置されている第２ＬＥＤ群５２および第３列に配置されている第３ＬＥＤ群５３は、第１ＬＥＤ４２１を有しており、下方に向かって光ＬＢ３を照射する。
第１ＬＥＤ群５１、第２ＬＥＤ群５２および第３ＬＥＤ群５３から下方に照射された光は、カバー６０の中央部６１を透過して、下方に照射される。中央部６１は、光の透過率が低くなっているので、眩しくなく、全体的に発光する。
また、第４列に配置されている第４ＬＥＤ群５４は、第３ＬＥＤ４２３を有しており、外側に向かって光ＬＢ４を照射する。
【００２８】
照明器具１０Ａの作用効果について説明する。
図３に示すように、器具本体２０に支持されたＬＥＤ発光部４０は、電源部２２から電力の供給を受けて点灯する。ＬＥＤ発光部４０は、回路基板４１の実装面４１１に、器具本体２０の中央部を迂回する同一線上（すなわち、同心円上）に沿って所定間隔で多数のＬＥＤ４２が実装されたＬＥＤ群５０を有する。
そして、ＬＥＤ群５０は、回路基板４１の厚み方向に沿って回路基板４１から離れる方向に光を照射する第１ＬＥＤ４２１と、中央部に向かって光を照射する第２ＬＥＤ４２２とを有する。
このため、天井面１１への取付部２１を中央に有する場合でも、中央部が暗くなるのを防止できる。
【００２９】
また、照明器具１０Ａでは、ＬＥＤ群５０は、中央部とは反対側に向かって光を照射する第３ＬＥＤ４２３を有するので、器具本体２０の外側で天井面１１の付近にも光を照射できる。
【００３０】
さらに、照明器具１０Ａでは、ＬＥＤ発光部４０が、３以上の複数のＬＥＤ群５０を互いに平行に有する。そして、中央部に最も近い第１ＬＥＤ群５１は、回路基板４１から離れる方向（下方）に光を照射する第１ＬＥＤ４２１よりも、中央部に向かって光を照射する第２ＬＥＤ４２２を多く有する。
このため、中央に天井面１１への取付部２１を有する場合でも中央部が暗くなるのを防止できる。
また、中央部から最も遠い第４ＬＥＤ群５４は、第１ＬＥＤ４２１よりも第３ＬＥＤ４２３を多く有する。
このため、外側に向かっても光を照射でき、照明器具１０Ａの近傍の天井面１１を照らすことができる。
【００３１】
なお、前述した照明器具１０Ａにおいては、図３に示すように、下方に光を照射する第１ＬＥＤ４２１を、主に内側から２列目の第２ＬＥＤ群５２および３列目の第３ＬＥＤ群５３に配置した。さらに、内側に光を照射する第２ＬＥＤ４２２を主に１列目の第１ＬＥＤ群５１に配置し、外側に光を照射する第３ＬＥＤ４２３を主に４列目の第４ＬＥＤ群５４に配置した。
この他、図６に示すように、第１ＬＥＤ群５１および第４ＬＥＤ群５４に、下方に光を照射する第１ＬＥＤ４２１を主に配置する。そして、第２ＬＥＤ群５２に内側に光を照射する第２ＬＥＤ４２を主に配置し、第３ＬＥＤ群５３に外側に光を照射する第３ＬＥＤ４２３を主に配置することも可能である。
【００３２】
（第２実施形態）
次に、第２実施形態の照明器具について説明する。
なお、前述した第１実施形態の照明器具１０Ａと共通する部位には同じ符号を付して、重複する説明を省略することとする。
図７に示すように、第２実施形態の照明器具１０Ｂでは、ＬＥＤ群５０のうちの最も内側の第１ＬＥＤ群５１が、内側（中央側）に光を照射する第２ＬＥＤ４２２で構成されている。
また、２列目から４列目の第２ＬＥＤ群５２ないし第４ＬＥＤ群５４は、下向きに光を照射する第１ＬＥＤ４２１で構成されている。
【００３３】
以上、説明した第２実施形態の照明器具１０Ｂによれば、第１ＬＥＤ群５１が中央側に光を照射するので、中央側が明るくなる。
また、この際に、取付部２１に設けられている反射部材３５が第１ＬＥＤ群５１からの光を下方へ反射するので、取付部２１が設けられている領域が暗くなるのを防止できる。
また、２列目から４列目の第２ＬＥＤ群５２ないし第４ＬＥＤ群５４が、下向きに光を照射するので、下方を明るく照明することができる。
【００３４】
本発明の照明器具は、前述した各実施形態に限定されるものでなく、適宜な変形、改良等が可能である。
例えば、前述した各実施形態においては、ＬＥＤ群５０が同心円状に４列設けられている場合を例示したが、本発明はこれに限らず、５列以上のＬＥＤ群５０を有する場合にも適用可能である。
【００３５】
また、前述した各実施形態においては、各ＬＥＤ群５０が、第１ＬＥＤ４２１ないし第３ＬＥＤ４２３のいずれか１種または２種を有する場合を例示した。
この他、図８に示すように、一つのＬＥＤ群５０に、第１ＬＥＤ４２１ないし第３ＬＥＤ４２３の３種を含むようにすることも可能である。これにより、下方のみならず、内側および外側にも光を照射できる。
このように３種が混在することにより、熱的に有利となる。
【符号の説明】
【００３６】
１０Ａ、１０Ｂ  照明器具
２０  器具本体
２２  電源部
４０  ＬＥＤ発光部（発光部）
４１  回路基板
４１１  実装面
４２１  第１ＬＥＤ
４２２  第２ＬＥＤ
４２３  第３ＬＥＤ
５０  ＬＥＤ群
５１  第１ＬＥＤ群（中央部に最も近いＬＥＤ群）
５４  第４ＬＥＤ群（中央部から最も遠いＬＥＤ群）
【図１】
2014216145.tif 000003
【図２】
2014216145.tif 000004
【図３】
2014216145.tif 000005
【図４】
2014216145.tif 000006
【図５】
2014216145.tif 000007
【図６】
2014216145.tif 000008
【図７】
2014216145.tif 000009
【図８】
2014216145.tif 000010
【図９】
2014216145.tif 000011